(57)【特許請求の範囲】
【請求項１】
エラストマ−材料から形成されたばね体を備えて、ばね体が二つの平面における少なくとも一方の平面では金属性接続部材と固定するように結合されていて、この場合にエラストマ−軸受がこのエラストマー軸受と並列に接続されて電気式及び電子式又はそのいずれか一方で制御可能な一つの摩擦減衰器を有し、そしてばね体は中空円筒状に形成され、両平面には円板状で中空室を閉鎖する金属性接続部材を有し、制御可能な摩擦減衰器は中空室の内部に配置されていて両接続部材と連結されており、制御可能な摩擦減衰器はそれぞれ接続部材に固定され且つ中空室に突き出す少なくとも二個の減衰要素から成り、それら減衰要素は減衰要素の一部領域を介して隣接され、力伝達方向に移動可能に併置され、減衰要素間への電気エネルギ─の付与によって摩擦結合化が促進できる、隣接した構成部材間の振動を減衰する軸受において、それぞれ接続部材に固定され且つ中空室に突き出す減衰要素の少なくとも一方は他方の減衰要素に隣接した少なくとも一部領域において圧電有効表面を有し、その表面は電気エネルギ─の付与によって他方の減衰要素の表面への方向に変形し、摩擦結合化が促進することを特徴とする軸受。
【請求項２】
それぞれ接続部材に固定され且つ中空室に突き出す減衰要素の少なくとも一方はエラストマ−材料から成り、他方の減衰要素に隣接した少なくとも一部領域における少なくとも一個のピエゾセラミック構成部材或いは中間層を形成させた圧電結晶を有し、そのピエゾセラミック構成部材或いは圧電結晶は摩擦結合化を生じるように表面を変形することを特徴とする請求項１に記載の軸受。
【請求項３】
減衰要素は案内手段により摩擦結合化における相対運動中に支持されていることを特徴とする請求項１或いは請求項２に記載の軸受。
【請求項４】
減衰要素は互いの中に移動自在なシリンダと中空シリンダとして形成されていることを特徴とする請求項１乃至請求項３のいずれか一項に記載の軸受。
【請求項５】
減衰要素は互いに隣接された板として形成されていることを特徴とする請求項１乃至請求項３のいずれか一項に記載の軸受。
【発明の詳細な説明】
【０００１】
【発明の属する技術分野】
この発明は、ばね体の二つの平面における少なくとも一方の平面では特に金属性接続部材と固定するために結合されていて、エラストマ−材料、特にゴムから形成されたばね体を備える、隣接した構成部材間の振動を減衰する或いは外すエラストマ−軸受に関する。
【０００２】
そのような比較的簡単に製造され得るばね要素を、構成部材或いは集合体の振動を絶縁させるために使用して、有害な振動或いは衝撃からこの構成部材或いは集合体を守るか或いはこの構成部材或いは集合体から出発して他の構成部材に伝達される振動を避ける。そのようなばね要素の固定は一貫して螺子結合によって行われ、ばね要素の接続部材はそれに形成された或いは、ナットの形態でそのナットに取り付けられた内部ねじを有するか或いは外部螺子を備える直立ボルトを支持する。
【０００３】
【従来の技術】
例えばドイツ実用新案第１９０１５０１号明細書からゴム金属ばね要素が知られていて、そのゴム体はその剛性に影響を与えるように中空室を有し、その中空室には接続要素が個別のボルトを取り付ける孔を備えている。
【０００４】
同様に、液圧減衰軸受は例えばドイツ特許第３４４１５９２号明細書から知られていて、振動減衰の外に、軸受負荷の際に流体が絞り横断面を貫通するから、ゴム要素によって液圧流体が補助的に減衰する。この構成によって軸受をしばしば異なる周波数範囲に設定できる。
【０００５】
すべてこれらの軸受の欠点は、操作性、即ち調整性或いは制御性が減衰比或いは減衰力や異なる振動周波数を考慮して達成されないか、或いは極めて高い費用を伴ってしか達成されないことにある。
【０００６】
【発明が解決しようとする課題】
それ故に、この発明の課題は、従来公知の欠点を回避し、そして簡単に且つ安価に製造し、摩擦による減衰が正確に且つ簡単な手段で電気エネルギーによってより良く制御できるか或いは適合できる摩擦減衰器を備える軸受を提供することである。
【０００７】
【課題を解決するための手段】
この課題は、主請求項の特徴部分、即ち接続部材に固定され且つ中空室に突き出す減衰要素の少なくとも一方は他方の減衰要素に連接した少なくとも部分領域において圧電有効表面を有し、その表面は電気エネルギ─の付与によって他方の減衰要素の表面への方向に変形し、摩擦結合化が促進することによって解決される。その他の好ましい構成は従属請求項に存在する。
【０００８】
この場合に、エラストマ−軸受は並列に接続された電気及び／又は電子的制御可能な摩擦減衰器を有する。好ましくは、ばね体が中空円筒状に形成されて両平面には円板状に且つ中空室を実質的に閉鎖する金属性接続部材を有する。この際に制御可能な摩擦減衰器は中空室の内部に配置されていて両接続部材と結合されている。
【０００９】
好ましくは、制御可能な摩擦減衰器はそれぞれ接続部材に固定され且つ中空室に突き出す少なくとも二つの減衰要素から成り、その減衰要素は部分領域を介して隣接して且つ力伝達方向に移動自在に併置する。さらに、減衰要素間に電気エネルギ−を付与することによって摩擦結合化が促進できる。
【００１０】
摩擦結合化の促進の特に好ましい種類は、それぞれ接続部材に固定され且つ中空室に突き出す少なくとも一方の減衰要素が他方の減衰要素に隣接された少なくとも部分領域において圧電有効表面を有し、その有効表面が電気エネルギ−の付与によって他方の減衰要素の表面の方向に変形されることにある。それで、表面は摩擦接触して、摩擦力の強度が圧電変形の程度により、エネルギ−供給を介して容易に制御できる。特にそのような構成の場合に、減衰要素を互いの中に移動自在なシリンダと中空シリンダとして形成することが好ましく、例えば中空シリンダとして形成された他方の減衰要素内に沈めるシリンダとして形成された一方の減衰要素の部分領域が圧電有効表面を有する。それ故に、エネルギ−供給により対応するシリンダが圧縮されるならば、摩擦結合化が有効になる。
【００１１】
他の好ましい構成は、それぞれ接続部材に固定され且つ中空室に突き出す少なくとも一方の減衰要素が他方の減衰要素に隣接された少なくとも部分領域において少なくとも一個の電磁石を有し、中空室に突き出す他方の減衰要素が隣接された部分領域において金属性アンカ−として形成されていて、この際に電気エネルギ−の付与によって電磁石とアンカ−との間の摩擦結合化が促進できることにある。そのような実施態様でも、摩擦力の強度がエネルギ−供給を介して容易に制御できる。
【００１２】
他の好ましい構成において、制御可能な減衰要素がエラストマ−材料から成り、他方の減衰要素に隣接された少なくとも一個の部分領域がピエゾセラミック構成部材或いは中間層を形成させた圧電結晶を有し、それら構成部材は摩擦結合化を生じるように表面を変形する。
【００１３】
他の好ましい構成は、減衰要素が互いに隣接された板として形成され、場合によっては補助的に案内手段により摩擦結合化における相対運動中に支持されるので、表面に作用する垂直力が良好に捕らえられ得ることにある。
【００１４】
【発明に実施の態様】
実施例に基づいてこの発明は詳細に説明される。
【００１５】
図１は、両平面に中空室を実質的に閉鎖する金属円板３と４の一方と接続部材として結合されていて、ゴムから形成された中空円筒状ばね体２を備えるエラストマ−軸受１を示す。
【００１６】
エラストマ−軸受の固定は螺子結合によって行われ、この場合に接続部材は外部ねじを備える立ちボルト５と６を支持する。
【００１７】
制御可能な摩擦減衰器７はそれぞれ接続部材に固定され且つ中空室に突き出す二つの減衰要素８と９から成り、それら減衰要素は互いの中に移動自在なシリンダと中空シリンダとして形成されている。
【００１８】
中空シリンダとして形成された減衰要素９内に移動自在に沈むシリンダとして形成された減衰要素８の部分領域１０は圧電有効表面を有する。それ故に、導線１１を介してのエネルギ−供給により対応するシリンダ領域が圧縮されるならば、減衰要素８と９の間の摩擦結合化が摩擦面１２と１３において有効になる。
【００１９】
【発明の効果】
この発明によると、減衰要素間に電気エネルギ−を付与することによって摩擦結合化が促進できる。減衰要素の表面が摩擦接触して、この場合に摩擦力の強度は圧電変形の程度により、エネルギ−供給を介して容易に制御できる。特にそのような構成では、減衰要素を互いの中に移動自在なシリンダと中空シリンダとして形成することが好ましく、例えば中空シリンダとして形成された他方の減衰要素内に沈めるシリンダとして形成された一方の減衰要素が圧電有効表面を有する。それ故に、エネルギ−供給により対応するシリンダが圧縮されるならば、摩擦結合化が有効になる。
【図面の簡単な説明】
【図１】中空円筒状ばね体を備えるエラストマ−軸受である。
【符号の説明】
１．．．．．．エラストマ−軸受
２．．．．．．中空円筒状ばね体
３，４．．．．金属円板
５，６．．．．立ちボルト
７．．．．．．摩擦減衰器
８，９．．．．減衰要素
１０．．．．．部分領域
１１．．．．．導線
１２、１３．．摩擦面
【図１】
0004034541.tif 000002